【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
携帯端末と、非日常判定サーバとからなり、過去の経験の思い出しを行うための情報の記録タイミングを推定する情報記録タイミング推定システムにおいて、
前記携帯端末が、
利用者の顔の方向および興味の度合いを動作情報として取得するセンサと、
少なくとも、前記非日常判定サーバからの記録指示信号に基づいて、少なくとも、画像情報、音声情報、テキスト情報のうち１つの記録を行う記録手段と、
を備え、
前記非日常判定サーバが、
前記センサのログ情報を蓄積するセンサログ情報データベースと、
前記センサログ情報データベース内のセンサログ情報に基づいて、前記動作情報に関する頻度から統計情報を生成する統計情報生成手段と、
少なくとも、該統計情報生成手段が生成した前記統計情報に基づいて、新たに入力された前記動作情報が、日常動作か非日常動作かを判定する動作判定手段と、
該動作判定手段の判定結果に基づいて、前記記録手段に、記録指示信号を出力する記録指示信号出力手段と、
を備えたことを特徴とする情報記録タイミング推定システム。
【請求項２】
携帯端末と、非日常判定サーバとからなり、過去の経験の思い出しを行うための情報の記録タイミングを推定する情報記録タイミング推定システムにおいて、
前記携帯端末が、
利用者の位置情報と、顔の方向および興味の度合いを動作情報として取得するセンサと、
少なくとも、前記非日常判定サーバからの記録指示信号に基づいて、少なくとも、画像情報、音声情報、テキスト情報のうち１つの記録を行う記録手段と、
を備え、
前記非日常判定サーバが、
前記センサのログ情報を蓄積するセンサログ情報データベースと、
前記センサログ情報データベース内のセンサログ情報に基づいて、前記位置情報と前記動作情報に関する頻度から統計情報を生成する統計情報生成手段と、
少なくとも、該統計情報生成手段が生成した前記統計情報に基づいて、新たに入力された前記動作情報が、日常動作か非日常動作かを判定する動作判定手段と、
該動作判定手段の判定結果に基づいて、前記記録手段に、記録指示信号を出力する記録指示信号出力手段と、
を備えたことを特徴とする情報記録タイミング推定システム。
【請求項３】
前記非日常判定サーバが、前記センサログ情報とともに、該取得したセンサログ情報が日常的な情報か非日常的な情報かを示す識別子を前記センサログ情報データベースに記録することを特徴とする請求項１または請求項２に記載の情報記録タイミング推定システム。
【請求項４】
前記非日常判定サーバが、前記記録手段が記録した、少なくとも、画像情報、音声情報、テキスト情報のうち１つを蓄積し、前記センサログ情報データベースに記録された情報を特定範囲の位置情報ごとに、履歴情報とともに整理して記録する非日常ログ情報データベースを備え、
前記動作判定手段が、前記非日常ログ情報データベース内の情報を含めて、新たに入力された前記動作情報が、日常動作か非日常動作かを判定することを特徴とする請求項１から請求項３のいずれかに記載の情報記録タイミング推定システム。
【請求項５】
前記非日常判定サーバが、前記情報の記録の可否を示す条件を格納する記録可否条件格納手段と、
前記記録可否条件を参照する記録条件参照手段と、
を備え、
前記記録手段は、前記記録可否条件格納手段の情報をも参照して、少なくとも、画像情報、音声情報、テキスト情報のうち１つの記録を行うことを特徴とする請求項１から請求項４のいずれかに記載の情報記録タイミング推定システム。
【請求項６】
前記非日常判定サーバは、前記位置情報と前記動作情報のレコード数が、あらかじめ設定した一定値を超えるまでは、全て非日常動作と仮判定して情報を格納し、さらに、一定値を超えた場合に、全ての仮判定されたレコードを再判定することを特徴とする請求項１から請求項５のいずれかに記載の情報記録タイミング推定システム。
【請求項７】
過去の経験の思い出しを行うための情報の記録タイミングを推定する携帯端末において、
利用者の顔の方向および興味の度合いを動作情報として取得するセンサと、
前記センサのログ情報を蓄積するセンサログ情報蓄積手段と、
センサログ情報データベース内のセンサログ情報に基づいて、前記動作情報に関する頻度から統計情報を生成する統計情報生成手段と、
少なくとも、該統計情報生成手段が生成した前記統計情報に基づいて、新たに入力された前記動作情報が、日常動作か非日常動作かを判定する動作判定手段と、
該動作判定手段の判定結果に基づいて、記録手段に、記録指示信号を出力する記録指示信号出力手段と、
少なくとも、前記記録指示信号出力手段からの記録指示信号に基づいて、少なくとも、画像情報、音声情報、テキスト情報のうち１つの記録を行う前記記録手段と、
を備えたことを特徴とする携帯端末。
【請求項８】
センサと記録手段とを有する携帯端末と、センサログ情報データベースと統計情報生成手段と動作判定手段と記録指示信号出力手段と非日常判定サーバとからなり、過去の経験の思い出しを行うための情報の記録タイミングを推定する情報記録タイミング推定システムにおける情報記録タイミング推定方法であって、
前記携帯端末の前記センサが、利用者の顔の方向および興味の度合いを動作情報として取得する第１のステップと、
前記非日常判定サーバの統計情報生成手段が、前記センサのログ情報を蓄積する前記センサログ情報データベース内のセンサログ情報に基づいて、前記動作情報に関する頻度から統計情報を生成する第２のステップと、
前記非日常判定サーバの前記動作判定手段が、少なくとも、該統計情報生成手段が生成した前記統計情報に基づいて、新たに入力された前記動作情報が、日常動作か非日常動作かを判定する第３のステップと、
前記非日常判定サーバの前記記録指示信号出力手段が、第３のステップの判定結果に基づいて、前記記録手段に、記録指示信号を出力する第４のステップと、
前記携帯端末の前記記録手段が、少なくとも、前記非日常判定サーバからの記録指示信号に基づいて、少なくとも、画像情報、音声情報、テキスト情報のうち１つの記録を行う第５のステップと、
を備えたことを特徴とする情報記録タイミング推定方法。
【請求項９】
センサとセンサログ情報蓄積手段と統計情報生成手段と動作判定手段と記録指示信号出力手段と記録手段とを備え、過去の経験の思い出しを行うための情報の記録タイミングを推定する携帯端末における情報記録タイミング推定方法であって、
前記センサが、利用者の顔の方向および興味の度合いを動作情報として取得する第１のステップと、
前記統計情報生成手段が、前記センサのログ情報を蓄積する前記センサログ情報蓄積手段内のセンサログ情報に基づいて、前記動作情報に関する頻度から統計情報を生成する第２のステップと、
前記動作判定手段が、少なくとも、該統計情報生成手段が生成した前記統計情報に基づいて、新たに入力された前記動作情報が、日常動作か非日常動作かを判定する第３のステップと、
前記記録指示信号出力手段が、第３のステップの判定結果に基づいて、前記記録手段に、記録指示信号を出力する第４のステップと、
前記記録手段が、少なくとも、非日常判定サーバからの記録指示信号に基づいて、少なくとも、画像情報、音声情報、テキスト情報のうち１つの記録を行う第５のステップと、
を備えたことを特徴とする情報記録タイミング推定方法。
【請求項１０】
センサと記録手段とを有する携帯端末と、センサログ情報データベースと統計情報生成手段と動作判定手段と記録指示信号出力手段と非日常判定サーバとからなり、過去の経験の思い出しを行うための情報の記録タイミングを推定する情報記録タイミング推定システムにおける情報記録タイミング推定方法をコンピュータに実行させるためのプログラムであって、
前記携帯端末の前記センサが、利用者の顔の方向および興味の度合いを動作情報として取得する第１のステップと、
前記非日常判定サーバの統計情報生成手段が、前記センサのログ情報を蓄積する前記センサログ情報データベース内のセンサログ情報に基づいて、前記動作情報に関する頻度から統計情報を生成する第２のステップと、
前記非日常判定サーバの前記動作判定手段が、少なくとも、該統計情報生成手段が生成した前記統計情報に基づいて、新たに入力された前記動作情報が、日常動作か非日常動作かを判定する第３のステップと、
前記非日常判定サーバの前記記録指示信号出力手段が、第３のステップの判定結果に基づいて、前記記録手段に、記録指示信号を出力する第４のステップと、
前記携帯端末の前記記録手段が、少なくとも、前記非日常判定サーバからの記録指示信号に基づいて、少なくとも、画像情報、音声情報、テキスト情報のうち１つの記録を行う第５のステップと、
をコンピュータに実行させるためのプログラム。
【請求項１１】
センサとセンサログ情報蓄積手段と統計情報生成手段と動作判定手段と記録指示信号出力手段と記録手段とを備え、過去の経験の思い出しを行うための情報の記録タイミングを推定する携帯端末における情報記録タイミング推定方法をコンピュータに実行させるためのプログラムであって、
前記センサが、利用者の顔の方向および興味の度合いを動作情報として取得する第１のステップと、
前記統計情報生成手段が、前記センサのログ情報を蓄積する前記センサログ情報蓄積手段内のセンサログ情報に基づいて、前記動作情報に関する頻度から統計情報を生成する第２のステップと、
前記動作判定手段が、少なくとも、該統計情報生成手段が生成した前記統計情報に基づいて、新たに入力された前記動作情報が、日常動作か非日常動作かを判定する第３のステップと、
前記記録指示信号出力手段が、第３のステップの判定結果に基づいて、前記記録手段に、記録指示信号を出力する第４のステップと、
前記記録手段が、少なくとも、非日常判定サーバからの記録指示信号に基づいて、少なくとも、画像情報、音声情報、テキスト情報のうち１つの記録を行う第５のステップと、
をコンピュータに実行させるためのプログラム。